【手続補正書】
【提出日】平成21年10月16日(2009.10.16)
【手続補正１】
【補正対象書類名】明細書
【補正対象項目名】特許請求の範囲
【補正方法】変更
【補正の内容】
【特許請求の範囲】
【請求項１】  インクを吐出するために利用されるエネルギーを発生するエネルギー発生素子が設けられた基体と該基体上に前記エネルギー発生素子に対向して配された吐出口が設けられた吐出口プレートとを有する記録素子基板と、
前記基体に接して前記記録素子基板を支持する支持部材と、
を有する記録ヘッドであって、
前記記録素子基板の前記吐出口へインクを供給するためのインク供給路と、
該インク供給路と連通し空気が存在する空気室と、
が設けられ、前記空気室の少なくとも一部の内壁面を前記支持部材が形成していることを特徴とする記録ヘッド。
【請求項２】  前記支持部材に凹部が設けられ、前記記録素子基板と前記支持部材とが接合されることによって前記凹部が形成する空間を前記空気室とすることを特徴とする請求項１に記載の記録ヘッド。
【請求項３】  前記記録素子基板に凹部が設けられ、前記記録素子基板と前記支持部材とが接合されることによって前記凹部が形成する空間を前記空気室とすることを特徴とする請求項１に記載の記録ヘッド。
【請求項４】  前記支持部材を第１支持部材とし、該第１支持部材を支持する第２支持部材を更に有し、前記第１支持部材及び前記第２支持部材の一方または双方に凹部または貫通孔が設けられ、前記記録素子基板と前記第１支持部材と前記第２支持部材とが接合されることによって前記凹部及び前記貫通孔の少なくとも一方が形成する空間を前記空気室とすることを特徴とする請求項１に記載の記録ヘッド。
【請求項５】  前記基体には前記インク供給路を形成する貫通孔が設けられ、該貫通孔の内壁面はインク供給に関する上流側から下流側へ向かって先細りとなる斜面を有することを特徴とする請求項１に記載の記録ヘッド。
【請求項６】  前記斜面の終端において前記空気室が前記インク供給路と連通することを特徴とする請求項５に記載の記録ヘッド。
【請求項７】  前記支持部材には前記インク供給路を形成する貫通孔が設けられ、該貫通孔の内壁面はインク供給に関する下流側から上流側へ向かって先細りとなる斜面を有することを特徴とする請求項１に記載の記録ヘッド。
【請求項８】  前記斜面の終端において前記空気室が前記インク供給路と連通することを特徴とする請求項７に記載の記録ヘッド。
【請求項９】  前記インク供給路は、前記空気室よりインク供給に関する上流側に屈曲部を有することを特徴とする請求項１に記載の記録ヘッド。
【請求項１０】  前記空気室の内壁面は撥水処理されていることを特徴とする請求項１に記載の記録ヘッド。
【請求項１１】  前記エネルギー発生素子は熱エネルギーを発生してインクに気泡を生じさせ、該気泡の圧力によって前記吐出口からインクを吐出することを特徴とする請求項１に記載の記録ヘッド。
【請求項１２】  気泡が大気と連通し前記吐出口からインクを吐出することを特徴とする請求項１１に記載の記録ヘッド。
【請求項１３】  インクを吐出するために利用されるエネルギーを発生するエネルギー発生素子が設けられた基体と該基体上に前記エネルギー発生素子に対向して配された吐出口が設けられた吐出口プレートとを有する記録素子基板と、前記基体に接して前記記録素子基板を支持する支持部材と、を有し、前記記録素子基板に関して前記基体の側から前記吐出口へインクを供給するためのインク供給路と、該インク供給路と連通し空気が存在する空気室と、が設けられ、前記空気室の少なくとも一部の内壁面を前記支持部材が形成している記録ヘッドと、
該記録ヘッドを搭載する部材と、
を具備することを特徴とするインクジェット記録装置。
【請求項１４】  複数流路、該複数流路のそれぞれに対応する液体吐出用素子および該素子に対向する液滴吐出口を備えるとともに、液体を受ける貫通空間部を形成しているプレートを有するインクジェットヘッドチップと、
該ヘッドチップに対して液体供給源からの液体を供給するための液体供給路を有する液体供給ユニットと、
を有するインクジェットへッドにおいて、
前記複数流路の群が前記ヘッドチップ内に複数配置されており、該複数流路の群の一端側および他端側に前記液体供給路と連通するとともに液体との界面を形成できる連通部と、該連通部より大容積であって気体を保有する気体保有室とを設けたことを特徴とするインクジェットヘッド。
【請求項１５】  前記気体保有室は、前記インクジェットヘッドチップと前記液体供給ユニットとの接合部に形成されていることを特徴とする請求項１４に記載のインクジェットヘッド。
【請求項１６】  前記気体保有室と前記液体供給路とが、液体のメニスカスを形成可能な断面積を有する連通部を介して連通することを特徴とする請求項１４に記載のインクジェットヘッド。
【請求項１７】  前記連通部の断面積は前記複数流路それぞれの断面積より大きいことを特徴とする請求項１４に記載のインクジェットヘッド。
【請求項１８】  気泡が大気と連通した後前記吐出口からインクを吐出することを特徴とする請求項１４に記載のインクジェットヘッド。
【請求項１９】  複数流路、該複数流路のそれぞれに対応する液体吐出用素子および該素子に対向する液滴吐出口を備えるとともに、液体を受ける貫通空間部であって傾斜部を有した貫通空間部を形成しているプレートを有するインクジェットヘッドチップと、
該ヘッドチップに対して液体供給源からの液体を供給するための液体供給路であって、傾斜部を有する液体供給路を有する液体供給ユニットと、
を有するインクジェットへッドにおいて、
前記貫通空間部の傾斜部の延長線と前記液体供給路の傾斜部の延長線とが交差する位置の近傍に気体を保有する気体保有室を配置したことを特徴とするインクジェットヘッド。
【請求項２０】  複数流路、該複数流路のそれぞれに対応する液体吐出用素子および該素子に対向する液滴吐出口を備えるとともに、液体を受ける貫通空間部であって傾斜部を有した貫通空間部を形成しているプレートを有するインクジェットヘッドチップと、
該ヘッドチップに対して液体供給源からの液体を供給するための液体供給路であって、傾斜部を有する液体供給路を有する液体供給ユニットと、
を有するインクジェットへッドにおいて、
前記貫通空間部の傾斜部の面および前記液体供給路の傾斜部の面にそれぞれ対向する位置に気体を保有する気体保有室を配置したことを特徴とするインクジェットヘッド。
【手続補正２】
【補正対象書類名】明細書
【補正対象項目名】００３９
【補正方法】変更
【補正の内容】
【００３９】
【課題を解決するための手段】
そのために本発明では、インクを吐出するために利用されるエネルギーを発生するエネルギー発生素子が設けられた基体と該基体上に前記エネルギー発生素子に対向して配された吐出口が設けられた吐出口プレートとを有する記録素子基板と、前記基体に接して前記記録素子基板を支持する支持部材と、を有する記録ヘッドであって、前記記録素子基板の前記吐出口へインクを供給するためのインク供給路と、該インク供給路と連通し空気が存在する空気室と、が設けられ、前記空気室の少なくとも一部の内壁面を前記支持部材が形成していることを特徴とする。
【手続補正３】
【補正対象書類名】明細書
【補正対象項目名】００４０
【補正方法】変更
【補正の内容】
【００４０】
また、インクを吐出するために利用されるエネルギーを発生するエネルギー発生素子が設けられた基体と該基体上に前記エネルギー発生素子に対向して配された吐出口が設けられた吐出口プレートとを有する記録素子基板と、前記基体に接して前記記録素子基板を支持する支持部材と、を有し、前記記録素子基板に関して前記基体の側から前記吐出口へインクを供給するためのインク供給路と、該インク供給路と連通し空気が存在する空気室と、が設けられ、前記空気室の少なくとも一部の内壁面を前記支持部材が形成している記録ヘッドと、該記録ヘッドを搭載する部材と、を具備することを特徴とする。
【手続補正４】
【補正対象書類名】明細書
【補正対象項目名】００４１
【補正方法】変更
【補正の内容】
【００４１】
別の形態では、複数流路、該複数流路のそれぞれに対応する液体吐出用素子および該素子に対向する液滴吐出口を備えるとともに、液体を受ける貫通空間部を形成しているプレートを有するインクジェットヘッドチップと、該ヘッドチップに対して液体供給源からの液体を供給するための液体供給路を有する液体供給ユニットと、を有するインクジェットへッドにおいて、前記複数流路の群が前記ヘッドチップ内に複数配置されており、該複数流路の群の一端側および他端側に前記液体供給路と連通するとともに液体との界面を形成できる連通部と、該連通部より大容積であって気体を保有する気体保有室とを設けたことを特徴とする。